(57)【要約】【課題】  表示素子が破壊する虞のない表示装置を提供する。【解決手段】  開口部１１を有する導電性材料からなる前面フレーム１０と、開口部１１に臨む液晶表示パネル（表示素子）２０と、この液晶表示パネル２０の表示制御を行う制御手段４２を有する回路基板４０とを備え、回路基板４０に設けられたグランドライン４４と前面フレーム１０とが導通接続されてなる表示装置において、制御手段４２の出力ポート４２ａとグランドライン４４とが抵抗素子４３を介して導通接続され、制御手段４２は、抵抗素子４３を介して出力ポート４２ａからグランドライン４４へと所定時間だけ電流を流す制御を行う。【選択図】図２
2011112655.tif 000002
【特許請求の範囲】
【請求項１】
開口部を有する導電性材料からなる前面フレームと、
前記開口部に臨む表示素子と、
前記表示素子の表示制御を行う制御手段を有する回路基板とを備え、
前記回路基板に設けられたグランドラインと前記前面フレームとが導通接続されてなる表示装置において、
前記制御手段の出力ポートと前記グランドラインとが所定の回路部品を介して導通接続され、
前記制御手段は、前記回路部品を介して前記出力ポートから前記グランドラインへと所定時間だけ電流を流す制御を行うことを特徴とする表示装置。
【請求項２】
前記回路部品は、抵抗素子からなることを特徴とする請求項１記載の表示装置。
【発明の詳細な説明】
【技術分野】
【０００１】
本発明は、前面フレームに設けられた開口部に臨む表示素子と、この表示素子を駆動する駆動回路を有する回路基板とを備えた表示装置に関するものである。
【背景技術】
【０００２】
従来より、この種の表示装置にあっては例えば下記特許文献１に記載されているものが知られている。この特許文献１に記載の表示装置は、表示窓部（開口部）とこの表示窓部を取り囲む枠状の基部とを有する金属製の前面フレームと、この前面フレームの表示窓部に臨む液晶表示パネル（表示素子）と、この液晶表示パネルの表示制御を行うマイクロコンピュータ（制御手段）を有するように液晶表示パネルの背後側に配置される硬質の回路基板と、液晶表示パネルをバックライト照明すべく回路基板上に実装された光源と、この光源を包囲するように液晶表示パネルと回路基板との間に位置するとともに周壁部の適宜箇所に複数の爪部が突き出し形成された略枠形状の合成樹脂材料からなるケース体とを備えている。
【０００３】
そして、この場合、前面フレームの基部における外縁部の適宜箇所には、下方（回路基板側）に向けて、前記各爪部と係合固定される複数個の固定用腕片とこの固定用腕片の長さよりも長く設定された単一の導電用腕片とが垂下形成されている。固定用腕片は、略細長矩形状をなして基部の背後に延長形成され、その先端側には爪部が嵌合する嵌合孔が形成されている。
【０００４】
導電用腕片は、回路基板の背面に設けられた導電路からなるグランドラインと導通接続される接続導体からなり、略舌片形状をなして基部の背後に延長形成され、その先端部が前記グラントラインの所要部と面接触するように回路基板の背後に折り曲げられることで、導電性材料からなる金属製の前面フレームと回路基板に設けられたグランドラインとが導通接続されるようになっている。
【先行技術文献】
【特許文献】
【０００５】
【特許文献１】特開２００９−２３７２２０号公報
【発明の概要】
【発明が解決しようとする課題】
【０００６】
上述した表示装置の場合、導電性材料からなる金属製の前面フレームに導電用腕片を一体的に垂下形成し、回路基板背面に折り曲げられた導電用腕片の先端部と回路基板に設けられたグランドラインとが面接触することで、導電用腕片の先端部とグランドラインの前記所要部（つまり導電用腕片とグランドライン）が通電可能な構成となっている。
【０００７】
また、上述した表示装置のごとき、前面フレームを金属材で形成した際には、経時変化に伴って前面フレームが劣化することが有り得る。このように前面フレームが劣化すると、経時変化に伴って前面フレーム（つまり導電用腕片及び前記基部）の外表面に絶縁膜（酸化膜）が形成されることがあった。
【０００８】
特に、導電用腕片の先端部とグランドラインの前記所要部との当接箇所において、グランドライン側となる導電用腕片における先端部の表面箇所に絶縁膜が形成された場合（換言すればグランドラインの前記所要部と導電用腕片の先端部との間に絶縁膜が存在する場合）には、導電用腕片とグランドラインとの導通が阻害されるため、（静電気に帯電している）人体の指が前面フレームの基部から露出する液晶表示パネル（表示素子）の表面部分に触れた際に、指から液晶表示パネルへと飛ぶ静電気が、グランドラインへと電気的に導かれずに金属製の前面フレーム（基部や導電用腕片）に帯電したままの状態となり液晶表示パネルが破壊する虞があった。
そこで本発明は、前述の課題に対して対処するため、表示素子が破壊する虞のない表示装置の提供を目的とするものである。
【課題を解決するための手段】
【０００９】
本発明は、開口部を有する導電性材料からなる前面フレームと、前記開口部に臨む表示素子と、前記表示素子の表示制御を行う制御手段を有する回路基板とを備え、前記回路基板に設けられたグランドラインと前記前面フレームとが導通接続されてなる表示装置において、前記制御手段の出力ポートと前記グランドラインとが所定の回路部品を介して導通接続され、前記制御手段は、前記回路部品を介して前記出力ポートから前記グランドラインへと所定時間だけ電流を流す制御を行うことを特徴とする。
【００１０】
また本発明は、前記回路部品は、抵抗素子からなることを特徴とする。
【発明の効果】
【００１１】
本発明によれば、初期の目的を達成でき、表示素子が破壊する虞のない表示装置を提供できる。
【図面の簡単な説明】
【００１２】
【図１】本発明の実施形態による表示装置の正面図。
【図２】図１のＡ−Ａ断面図。
【図３】同実施形態による表示装置の電気的構成を示すブロック図。
【発明を実施するための形態】
【００１３】
以下、添付図面に基づいて本発明の実施形態を車両用計器に搭載されたマルチディスプレイのごとき表示ユニットに適用した場合を例に挙げて説明する。
【００１４】
図１において、本実施形態における表示装置としての表示ユニットは、前面フレーム１０と、この前面フレーム１０の後述する開口部に臨む液晶表示パネル（表示素子）２０と、この液晶表示パネル２０の背面に沿うように配設される拡散板３０と、液晶表示パネル２０（拡散板３０）の背後側に配置される回路基板４０と、液晶表示パネル２０をバックライト照明すべく回路基板４０上に実装される光源５０と、液晶表示パネル２０及び拡散板３０を載置するように回路基板４０上に配置されるケース体６０と、このケース体６０の底部側及び側方側を覆うカバー部材７０とを備えている。
【００１５】
前面フレーム１０は、例えば金属材料（導電性材料）からなる板材をプレス成形してなり、液晶表示パネル２０の表示エリア（図示せず）を露出させるための表示窓部である略矩形状の開口部１１と、この開口部１１を取り囲む略枠形状からなる基部１２とを有している。
【００１６】
なお、図２中、１３は、基部１２における外縁部の所定箇所において、基部１２の背後に向けて真っ直ぐ垂下形成された単一の導電用腕片であり、この導電用腕片１３は、回路基板４０側に向けて延在する舌片からなり、基部１２に一体形成され、その先端部１４が回路基板４０の背面側へと直角に折り曲げられている。そして、先端部１４には、ケース体６０の後述するネジ螺合部並びに回路基板４０の後述する孔部に連通する円形の貫通孔１５が設けられている。
【００１７】
液晶表示パネル２０は、その前記表示エリア（表示領域）において、マトリクス状に配設された複数の画素を備え、車両に搭載される各種センサからの検出信号に基づいて、車速、エンジン回転数、走行距離、燃料消費、時刻等の各種情報を表示する液晶表示素子からなる。
【００１８】
拡散板３０は、例えば乳白色を有する略平板状の光透過性合成樹脂からなり、光源５０からの照明光を略均一化させるための光拡散部材としての機能を有し、この略均一化された照明光は液晶表示パネル２０側に導かれる構成となっている。
【００１９】
回路基板４０は、例えばガラスエポキシ系基材の表裏面に各種回路部品等を実装するための配線部４１が引き回し形成された硬質回路基板からなり、液晶表示パネル２０の表示制御を行う制御手段４２と、回路部品である抵抗素子４３と、静電気を放電するためのグランドライン４４とが配線部４１に導通接続されている。
【００２０】
制御手段４２は、処理動作のプログラムが記憶されたＲＯＭや演算値を一時的に記憶するＲＡＭ、前記プログラムを実行するためのＣＰＵ等を有するマイクロコンピュータからなり、本例では回路基板４０の背面に実装されてなる。
【００２１】
抵抗素子４３は、制御手段４２と同様に回路基板４０の背面に実装されたチップ抵抗からなり、その一端側が制御手段４２における所定の出力ポート４２ａに接続され、その他端側が回路基板４０背面に形成されたグランドライン４４に接続されている（図３参照）。
【００２２】
また、この場合、制御手段４２は、その出力側（出力ポート４２ａとは異なる他の出力ポート）に液晶表示パネル２０を駆動させるための液晶駆動回路４５が接続され、その入力側（入力ポート）に各種センサやイグニッションスイッチ（キースイッチ）４６が接続される。なお、詳細図示省略するが、イグニッションスイッチ４６の入力側には電源ラインを介してバッテリ（電源）が接続されている。
【００２３】
なお、図２中、４７は、グランドライン４４の所要部とこの所要部に対応する回路基板４０箇所が開口形成された孔部であり、この孔部４７は、後述する固定手段としてのネジＳのネジ部が貫通する円形の貫通孔からなる。
【００２４】
光源５０は、適宜色の照明光を発する複数個のチップ型発光ダイオード（ＬＥＤ）からなり、拡散板３０の背後側となる回路基板４０上にそれぞれ実装され、前方側（拡散板３０側）に照明光を供給する発光体である。
【００２５】
ケース体６０は、例えば白色の合成樹脂からなり、拡散板３０と回路基板４０との間に位置する底壁部６１と、その底壁６１から連続して設けられる側壁部６２とを備え、この側壁部６２の上端側には液晶表示パネル２０及び拡散板３０を載置するための段部からなる載置部６３が形成されている。また、底壁部６１には、各光源５０を拡散板３０側に臨ませるための開放部６４が形成されている。
【００２６】
なお、ケース体６０の底壁部６１から奥まった位置であって、開放部６４内に配設される各光源５０が発光すると、光源５０から発せられる照明光はケース体６０内を通り拡散板３０で拡散されて、液晶表示パネル２０を略均一にバックライト照明するようになっている。
【００２７】
また、図２中、右方側に位置する側壁部６２箇所には、その上端側から奥行き方向となるカバー部材７０の前記底部側に向けて、前面フレーム１０に備えられる導電用腕片１３を挿通させる誘い込み部としての挿通孔部６５が形成されている。なお、図２中、６６は、ネジＳのネジ部が螺合するネジ螺合部であり、このネジ螺合部６６は、挿通孔部６５に隣接する側壁部６２の底面箇所に窪み部を有して設けられ、回路基板４０の孔部４７及び前面フレーム１０の貫通孔１５に各々連通している。
【００２８】
そして、導電用腕片１３を回路基板４０に設けられたグランドライン４４に導通接続させるには、例えば詳細図示は省略するが、まず図２中、上方側から導電用腕片１３を挿通孔部６５に挿通させ、その後、回路基板４０背後に突出する導電用腕片１３の先端部１４を折り曲げて、この先端部１４に形成された貫通孔１５と回路基板４０の孔部４７とを連通させる。最後に、ネジＳのネジ部を貫通孔１５、孔部４７の順に貫通させて、前記ネジ部がケース体６０のネジ螺合部に螺合されると、やがて導電用腕片１３の先端部１４とこれに対向するグランドライン４４の所要部とが面接触し、これにより導電用腕片１３とグランドライン４４とが導通接続されるようになっている。
【００２９】
カバー部材７０は、合成樹脂からなり、断面略凹部形状にて形成され、前記表示ユニットの外装ケースを構成している。
【００３０】
以上の各部により前記表示ユニットが構成されている。ところで、前面フレーム１０を金属材で形成した際には、経時変化に伴って前面フレーム１０が劣化することが有り得る。このように前面フレーム１０が劣化すると、経時変化に伴って前面フレーム１０（つまり基部１２及び導電用腕片１３）の外表面に絶縁膜（酸化膜）が形成されるという現象が生じることになる。
【００３１】
特に、導電用腕片１３の先端部１４とグランドライン４４の前記所要部との当接箇所において、グランドライン４４側となる導電用腕片１３における先端部１４の表面箇所に絶縁膜が形成された場合（換言すればグランドライン４４の前記所要部と導電用腕片１３の先端部１４との間に絶縁膜が存在する場合）には、導電用腕片１３とグランドライン４４との導通が阻害されるため、（静電気に帯電している）人体の指が前面フレーム１０の基部１２から露出する液晶表示パネル２０の表面部分に触れた際に、指から液晶表示パネル２０へと飛ぶ静電気が、グランドライン４４へと電気的に導かれずに金属製の前面フレーム１０（基部１２や導電性腕片１３）に帯電したままの状態となり液晶表示パネル２０が破壊する虞がある。
【００３２】
しかしながら、本実施形態では、制御手段４２の出力ポート４２ａとグランドライン４４とが抵抗素子４３を介して導通接続される構成を採用している。また、車両を走行させるにあたり、車両利用者がイグニッションスイッチ４６をオン操作することに伴う操作信号を制御手段４２が受信した際に、制御手段４２は、イグニッションスイッチ４６に接続された前記バッテリからの電力供給を受けて動作することになる。すると、この制御手段４２の動作に伴い、制御手段４２は、その出力ポート４２ａから抵抗素子４３を介してグランドライン４４へと所定時間（例えば数十秒）だけ電流を流す制御を行うようになっている。
【００３３】
ここで、車両運転者のイグニッションスイッチ４６のオン操作時に出力ポート４２ａからグランドライン４４へと流れる電流の値は、制御手段４２が動作する電圧値を抵抗素子４３の抵抗値で除算した値となる。
【００３４】
そして、前記所定時間だけグランドライン４４に電流が流れると、導体間であるグランドライン４４の前記所要部とこれに対向する導電用腕片１３の先端部１４との間に放電現象が起こり、例えば前記経時変化に伴いグランドライン４４の前記所要部と導電用腕片１３の先端部１４との間に絶縁膜が存在していた場合には、絶縁膜が破壊されるためグランドライン４４の前記所要部と導電用腕片１３の先端部１４（つまりグランドライン４４と導電用腕片１３）との導通状態が良好に確保されることになる。
【００３５】
従って、前記経時変化に伴いグランドライン４４の前記所要部と導電用腕片１３の先端部１４との間に絶縁膜が存在していた場合であっても、前記放電現象により絶縁膜が破壊され、グランドライン４４と導電用腕片１３との導通状態が良好に確保されることから、人体の指が液晶表示パネル２０の前記表面部分に触れた際に、指から液晶表示パネル２０へと飛ぶ静電気が、導電性腕片１３からこれに電気的に接続されているグランドライン４４へと導かれることで、結果的に静電気は、前面フレーム１０（基部１２や導電性腕片１３）に帯電されない状態となり、これにより液晶表示パネル２０が破壊する虞はなくなる。
【００３６】
以上のように、本実施形態では、開口部１１を有する導電性材料からなる前面フレーム１０と、開口部１１に臨む液晶表示パネル２０と、この液晶表示パネル２０の表示制御を行う制御手段４２を有する回路基板４０とを備え、回路基板４０に設けられたグランドライン４４と導電用腕片１３（前面フレーム１０）とが導通接続されてなる表示装置において、制御手段４２の出力ポート４２ａとグランドライン４４とが抵抗素子４３を介して導通接続され、制御手段４２は、抵抗素子４３を介して出力ポート４２ａからグランドライン４４へと前記所定時間だけ電流を流す制御を行うことにより、前記放電現象により絶縁膜が破壊され、人体の指が液晶表示パネル２０の前記表面部分に触れた際に発生する静電気が、基部１２、導電用腕片１３を経てグランドライン４４へと電気的に導かれることで、基部１２や導電性腕片１３（前面フレーム１０）への静電気の帯電が抑制され、これにより液晶表示パネル２０が破壊する虞はなくなる。
【００３７】
なお本実施形態では、制御手段４２が回路基板４０の背面に実装されている例について説明したが、例えば制御手段４２を回路基板４０の表面に実装し、図示省略したスルーホールを利用して回路基板４０表面に実装された制御手段４２と回路基板４３背面に実装された抵抗素子４３とを配線部４１を介して導通接続する構成としてもよい。
【符号の説明】
【００３８】
１０    前面フレーム
１１    開口部
１２    基部
１３    導電用腕片
１４    先端部
２０    液晶表示パネル（表示素子）
４０    回路基板
４１    配線部
４２    制御手段
４２ａ  出力ポート
４３    抵抗素子（回路部品）
４４    グランドライン
４６    イグニッションスイッチ（キースイッチ）
４７    孔部
５０    光源
６０    ケース体
６５    挿通孔部
【図１】
2011112655.tif 000003
【図２】
2011112655.tif 000004
【図３】
2011112655.tif 000005